(57)【要約】【課題】正確に鉄筋コンクリート柱に使用されている鋼材の種類を選別することができる鉄筋コンクリート柱の鋼材選別装置及びその方法を提供する。【解決手段】コイル２１が、鉄筋コンクリート柱１に巻き付けられる。マイコン２６が、コイル２１に交流電流を流してインダクタンスを測定する。入力部２５には、鉄筋コンクリート柱１の長さ方向におけるインダクタンスの測定位置及び鉄筋コンクリート柱１の種類が入力される。メモリ２７には、インダクタンス、鋼材の種類、及び、測定位置、を互いに対応付けたデータテーブルが記録されている。マイコン２６が、データテーブルを参照して測定されたインダクタンスと入力部２５により入力された測定位置及び種類とに対応する鋼材の種類を鉄筋コンクリート柱１に使用されている鋼材の種類とする。【選択図】図２
2010091303.tif 000002
【特許請求の範囲】
【請求項１】
鉄筋コンクリート柱に使用されている鋼材の種類を選別する鉄筋コンクリート柱の鋼材選別装置であって、
前記鉄筋コンクリート柱に巻き付けられるコイルと、
前記コイルに交流電流を流してインダクタンスを測定するインダクタンス測定手段と、
前記鉄筋コンクリート柱の長さ方向におけるインダクタンスの測定位置を入力するための位置入力手段と、
前記インダクタンス、前記鋼材の種類、及び、前記測定位置、を互いに対応付けたデータテーブルが記録された記録手段と、
前記データテーブルを参照して前記インダクタンス測定手段により測定されたインダクタンスと前記位置入力手段により入力された測定位置とに対応する前記鋼材の種類を前記鉄筋コンクリート柱に使用されている鋼材の種類とする選別手段と、
を備えたことを特徴とする鉄筋コンクリート柱の鋼材選別装置。
【請求項２】
前記鉄筋コンクリート柱の種類を入力するための種類入力手段をさらに備え、
前記記録手段が、前記鉄筋コンクリート柱の種類も対応付けたデータテーブルが記録され、そして、
前記選別手段が、前記データテーブルを参照して前記インダクタンス測定手段により測定されたインダクタンスと前記位置入力手段により入力された測定位置と前記種類入力手段により入力された前記鉄筋コンクリート柱の種類とに対応する前記鋼材の種類を前記鉄筋コンクリート柱に使用されている鋼材の種類とする
ことを特徴とする請求項１に記載の鉄筋コンクリート柱の鋼材選別装置。
【請求項３】
鉄筋コンクリート柱に使用されている鋼材の種類を選別する鉄筋コンクリート柱の鋼材の選別方法であって、
前記コイルを鉄筋コンクリート柱に巻き付ける巻付工程と、
前記コイルに交流電流を流してインダクタンスを測定する測定工程と、
前記インダクタンス、前記鋼材の種類、及び、前記鉄筋コンクリート柱の長さ方向における前記インダクタンスの測定位置、を互いに対応付けたデータテーブルを参照して前記測定工程により測定されたインダクタンスと前記測定工程により測定された前記鉄筋コンクリート柱の測定位置とに対応する前記鋼材の種類を前記鉄筋コンクリート柱に使用されている鋼材の種類とする選別工程と、
を備えたことを特徴とする鉄筋コンクリート柱の鋼材選別方法。
【発明の詳細な説明】
【技術分野】
【０００１】
本発明は、鉄筋コンクリート柱の鋼材選別装置及びその方法に係り、特に、鉄筋コンクリート柱に使用されている鋼材の種類を選別する鉄筋コンクリート柱の鋼材選別装置及びその方法に関するものである。
【背景技術】
【０００２】
上記鉄筋コンクリート柱は、コンクリートの内部に鉄筋を配したコンクリート柱である。この鉄筋としては、緊張鋼材（ＴＷ：テンションワイヤ）と非緊張鋼材（ＮＴＷ：ノンテンションワイヤ）とから構成されている。そして、緊張鋼材として用いられるＰＣ鋼材（プレストレストコンクリート用緊張鋼材）としては、伸線加工強化型のＰＣ鋼線と熱処理強化型のＰＣ鋼棒の２種類のどちらかの鋼材が使用されている。ＰＣ鋼線とＰＣ鋼棒とは経年劣化度が異なるため、鉄筋コンクリート柱の緊張鋼材（ＴＷ）として、ＰＣ鋼線が用いられているのか、ＰＣ鋼棒が用いられているのか選別する必要がある。
【０００３】
しかしながら、緊張鋼材（ＴＷ）はコンクリートの内部に配されている。このため、ＰＣ鋼線を用いた鉄筋コンクリート柱とＰＣ鋼棒を用いた鉄筋コンクリート柱との間に外見上の違いがなく、緊張鋼材の選別が困難である、という問題があった。
【０００４】
また、鉄筋コンクリート柱の周りにコイルを巻き、コイルに交流電流を流してインピーダンスを測定し、予め求められている基準インピーダンス値と比較することにより鉄量の減少を判定するコンクリート柱鉄筋の非破壊診断方法が提案されている（特許文献１）。しかしながら、特許文献１に記載されたコンクリート柱鉄筋の非破壊診断方法では、鉄量の減少を識別するだけで、緊張鋼材の選別ができない、という問題があった。
【０００５】
そこで、上記問題を解決するために、コイルにより鉄筋コンクリート柱の周囲に磁界を生じさせてその応答を検出して、検出した磁気的応答の周期変化から内部鉄筋を識別するコンクリート材内部鉄筋識別方法が提案されている（特許文献２）。
【０００６】
しかしながら、上述した磁気的応答は、鋼材の種類だけでなく、鋼材のかぶり量（表面から鋼材の位置までの距離）や鋼材同士の間隔に依存して変動するものである。現実の鉄筋コンクリート柱において、鋼材のかぶり量や鋼材同士の間隔は、一定でなく鉄筋コンクリート柱毎にかなりバラついている。よって、特許文献２に記載されたコンクリート材内部鉄筋識別方法では、正確に選別することが難しい、という問題があった。
【特許文献１】特開平９−２１７８６号公報
【特許文献２】特開２００７−２７８９３０号公報
【発明の開示】
【発明が解決しようとする課題】
【０００７】
そこで、本発明は、上記のような問題点に着目し、正確に鉄筋コンクリート柱に使用されている鋼材の種類を選別することができる鉄筋コンクリート柱の鋼材選別装置及びその方法を提供することを課題とする。
【課題を解決するための手段】
【０００８】
上記課題を解決するためになされた請求項１記載の発明は、鉄筋コンクリート柱に使用されている鋼材の種類を選別する鉄筋コンクリート柱の鋼材選別装置であって、前記鉄筋コンクリート柱に巻き付けられるコイルと、前記コイルに交流電流を流してインダクタンスを測定するインダクタンス測定手段と、前記鉄筋コンクリート柱の長さ方向におけるインダクタンスの測定位置を入力するための位置入力手段と、前記インダクタンス、前記鋼材の種類、及び、前記測定位置、を互いに対応付けたデータテーブルが記録された記録手段と、前記データテーブルを参照して前記インダクタンス測定手段により測定されたインダクタンスと前記位置入力手段により入力された測定位置とに対応する前記鋼材の種類を前記鉄筋コンクリート柱に使用されている鋼材の種類とする選別手段と、を備えたことを特徴とする鉄筋コンクリート柱の鋼材選別装置に存する。
【０００９】
請求項２記載の発明は、前記鉄筋コンクリート柱の種類を入力するための種類入力手段をさらに備え、前記記録手段が、前記鉄筋コンクリート柱の種類も対応付けたデータテーブルが記録され、そして、前記選別手段が、前記データテーブルを参照して前記インダクタンス測定手段により測定されたインダクタンスと前記位置入力手段により入力された測定位置と前記種類入力手段により入力された前記鉄筋コンクリート柱の種類とに対応する前記鋼材の種類を前記鉄筋コンクリート柱に使用されている鋼材の種類とすることを特徴とする請求項１に記載の鉄筋コンクリート柱の鋼材選別装置に存する。
【００１０】
請求項３記載の発明は、鉄筋コンクリート柱に使用されている鋼材の種類を選別する鉄筋コンクリート柱の鋼材の選別方法であって、前記コイルを鉄筋コンクリート柱に巻き付ける巻付工程と、前記コイルに交流電流を流してインダクタンスを測定する測定工程と、前記インダクタンス、前記鋼材の種類、及び、前記鉄筋コンクリート柱の長さ方向における前記インダクタンスの測定位置、を互いに対応付けたデータテーブルを参照して前記測定工程により測定されたインダクタンスと前記測定工程により測定された前記鉄筋コンクリート柱の測定位置とに対応する前記鋼材の種類を前記鉄筋コンクリート柱に使用されている鋼材の種類とする選別工程と、を備えたことを特徴とする鉄筋コンクリート柱の鋼材選別方法に存する。
【発明の効果】
【００１１】
以上説明したように請求項１記載の発明によれば、鋼材の種類によって透磁率が異なることを利用して、鉄筋コンクリート柱に巻き付けられたコイルに電流を流してインダクタンスを測定して、測定したインダクタンスに基いて鋼材の種類を選別している。鉄筋コンクリート柱にコイルを巻き付けて測定したインダクタンスは、鋼材のかぶり量や鋼材同士の間隔の影響を受け難いので、正確に鉄筋コンクリート柱に使用されている鋼材の種類を選別することができる。また、インダクタンスは、コイル内に挿入された鋼材の本数の影響を受ける。この鋼材の本数は測定位置によって特定できる。よって、データテーブルを参照して測定されたインダクタンスと位置入力手段により入力された測定位置とに対応する鋼材の種類を選別することにより、より一層正確に鉄筋コンクリート柱に使用されている鋼材の種類を選別することができる。
【００１２】
請求項２記載の発明によれば、鉄筋コンクリート柱の鋼材の構成は鉄筋コンクリート柱の種類によってことなることに着目し、データテーブルに鉄筋コンクリート柱の種類も対応付けることにより、複数種類の鉄筋コンクリート柱の鋼材を選別することができる。
【００１３】
請求項３記載の発明によれば、鋼材の種類によって透磁率が異なることを利用して、鉄筋コンクリート柱に巻き付けられたコイルに電流を流してインダクタンスを測定して、測定したインダクタンスに基いて鋼材の種類を選別している。鉄筋コンクリート柱にコイルを巻き付けて測定したインダクタンスは、鋼材のかぶり量や鋼材同士の間隔の影響を受け難いので、正確に鉄筋コンクリート柱に使用されている鋼材の種類を選別することができる。また、インダクタンスは、コイル内に挿入された鋼材の本数の影響を受ける。この鋼材の本数は測定位置によって特定できる。よって、データテーブルを参照して測定されたインダクタンスと測定された鉄筋コンクリート柱の測定位置とに対応する鋼材の種類を選別することにより、より一層正確に鉄筋コンクリート柱に使用されている鋼材の種類を選別することができる。
【発明を実施するための最良の形態】
【００１４】
以下、本発明の実施の形態を図面に基づいて説明する。まず、本発明の鉄筋コンクリート柱の鋼材選別装置を説明する前に、鉄筋コンクリート柱の構造について図１を参照して説明する。同図に示すように、鉄筋コンクリート柱１は、コンクリート１１と、コンクリート１１の内部に配された鉄筋１２と、番札１３と、足場ボルト１４と、から構成されている。鉄筋１２は、緊張鋼材（以下ＴＷ）１２１と、非緊張鋼材（以下ＮＴＷ）１２２と、から構成されている。
【００１５】
ＴＷ１２１は、鉄筋コンクリート柱１の長さ方向Ｙ１において足元から頂上までの全長に亘って設けられている。図１に示す例ではＴＷ１２１は１２本設けられている。ＮＴＷ１２２は、鉄筋コンクリート柱１の長さ方向Ｙ１において足元から頂上よりも手前に亘って設けられている。図１に示す例では、長さ10000mm、9000mm、8000mm、7000mm、6000mmのＮＴＷ１２２がそれぞれ４本ずつ設けられている。
【００１６】
よって、同図（Ａ）に示すように、長さ10000mmから頂上（長さ14000mm）までの鉄筋コンクリート柱１の鉄筋１２は、１２本のＴＷ１２１のみから構成されている。同図（Ｂ）に示すように、長さ9000mmから長さ10000mmまでの鉄筋コンクリート柱１の鉄筋１２は、１２本のＴＷ１２１と、４本のＮＴＷ１２２と、から構成されている。同図（Ｃ）に示すように、長さ8000mmから長さ9000mmまでの鉄筋コンクリート柱１の鉄筋１２は、１２本のＴＷ１２１と、８本のＮＴＷ１２２と、から構成されている。同図（Ｄ）に示すように、長さ7000mmから長さ8000mmまでの鉄筋コンクリート柱１の鉄筋１２は、１２本のＴＷ１２１と、１２本のＮＴＷ１２２と、から構成されている。
【００１７】
同図（Ｅ）に示すように、長さ6000mmから長さ7000mmまでの鉄筋コンクリート柱１の鉄筋１２は、１２本のＴＷ１２１と、１６本のＮＴＷ１２２と、から構成されている。同図（Ｆ）に示すように、足元から長さ7000mmまでの鉄筋コンクリート柱１の鉄筋１２は、１２本のＴＷ１２１と、２０本のＮＴＷ１２２と、から構成されている。上述したように鉄筋コンクリート柱１の鉄筋１２は、長さ方向Ｙ１によってＮＴＷ１２２の本数が異なる。なお、図１に示す鉄筋コンクリート柱１の鉄筋１２の構成は一例であり、ＴＷ１２１、ＮＴＷ１２２の長さ、本数は鉄筋コンクリート柱１の種類によって異なる。
【００１８】
上記番札１３は、コンクリート１１の外側面に貼り付けてある電柱番号が記載された札である。足場ボルト１４は、コンクリート１１の外側面から突出したボルトであり、４５ｃｍ間隔で複数設けられている。
【００１９】
次に、本発明の鋼材選別方法を用いた鋼材選別装置の原理について説明する。本発明の鋼材選別装置は、ＴＷ１２１、ＮＴＷ１２２として用いられるＰＣ鋼線、及び、ＴＷ１２１として用いられるＰＣ鋼棒、の透磁率の違いを利用して、後述するコイル２１により鉄筋コンクリート柱１のインダクタンスを測定して、ＴＷ１２１がＰＣ鋼線であるかＰＣ鋼棒であるかを選別する。
【００２０】
ＰＣ鋼線の透磁率をｔｗ−ａ、ＰＣ鋼棒のインダクタンスをｔｗ−ｂ、ＮＴＷ１２２のインダクタンスをｎｔｗとすると、実験によりＰＣ鋼線、ＰＣ鋼棒、ＮＴＷ１２２の透磁率は下記の式（１）に示す関係があることが分かった。
ｔｗ−ａ＞ｔｗ-ｂ、ｔｗ−ａ＞ｎｔｗ＞ｔｗ−ｂ  …（１）
【００２１】
例えば、図１に示す長さ10000mmから頂上（長さ14000mm）までの鉄筋コンクリート柱１の鉄筋１２はＴＷ１２１のみから構成されていて、透磁率はＴＷ１２１の本数に応じて強くなる。よって、ＴＷ１２１としてＰＣ鋼線が用いられている場合、10000mmから頂上（長さ14000mm）までの鉄筋コンクリート柱１の透磁率は１２×ｔｗ−ａとなる。一方、ＴＷ１２１としてＰＣ鋼棒が用いられている場合、10000mmから頂上（長さ14000mm）までの鉄筋コンクリート柱１の透磁率は１２×ｔｗ−ｂとなる。よって、１２×ｔｗ−ａ＞１２ｔｗ−ｂとなり、ＴＷ１２１の種類によって長さ10000mmから頂上（長さ14000mm）までの鉄筋コンクリート柱１のインダクタンスに差が出る。
【００２２】
また、10000mm以下の鉄筋コンクリート柱１の鉄筋１２は、ＴＷ１２１に加えてＮＴＷ１２２も入ってくる。今、ＮＴＷ１２２の本数をｎとし、ＴＷ１２１としてＰＣ鋼線が用いられている場合、10000mm以下の鉄筋コンクリート柱１の透磁率は、１２×ｔｗ−ａ＋ｎ×ｎｔｗとなる。一方、ＮＴＷ１２２の本数をｎとし、ＴＷ１２１としてＰＣ鋼棒が用いられている場合、10000mm以下の鉄筋コンクリート柱１の透磁率は、１２×ｔｗ−ｂ＋ｎ×ｎｔｗとなる。よって、１２×ｔｗ−ａ＋ｎ×ｎｔｗ＞１２×ｔｗ−ｂ＋ｎ×ｎｔｗとなり、ＴＷ１２１の種類によって10000mm以下の鉄筋コンクリート柱１のインダクタンスにも差が出る。
【００２３】
また、上記から明らかなように、鉄筋コンクリート柱１の長さ方向Ｙ１の測定位置によってＮＴＷ１２２の本数が変わるので、測定位置によってインダクタンスに差がでる。さらに、鉄筋コンクリート柱１の種類によってＴＷ１２１、ＮＴＷ１２２の本数が変わるので、鉄筋コンクリート柱１の種類によってインダクタンスに差が出る。
【００２４】
そこで、本実施形態の鋼材選別装置は、インダクタンス、ＴＷ１２１の種類（ＰＣ鋼線かＰＣ鋼棒か）、測定位置、及び、鉄筋コンクリート柱１の種類、を対応付けたデータテーブルを持つ。そして、鋼材選別装置は、データテーブルを参照して測定したインダクタンス、その測定位置、及び、測定した鉄筋コンクリート柱１の種類、に対応するＴＷ１２１の種類を鉄筋コンクリート柱１に使用されるＴＷ１２１の種類とする。
【００２５】
次に、本発明の鉄筋コンクリート柱１の鋼材選別方法を用いた鉄筋コンクリート柱１の鋼材選別装置２（以下単に鋼材選別装置２と略記）について図２を参照して以下説明する。同図に示すように、鋼材選別装置２は、コイル２１と、発振部２２と、信号合成・分離部２３と、信号増幅部２４と、位置入力手段、種類入力手段としての入力部２５と、インダクタンス測定手段、選別手段としてのマイコン２６と、記録手段としてのメモリ２７と、表示部２８と、から構成されている。
【００２６】
上記コイル２１は、導線を螺旋状に巻回して形成されていて鉄筋コンクリート柱１に巻き付けられる。コイル２１としては、一括コイル２１１と、分割コイル２１２と、がある。一括コイル２１１は、図３（Ａ）に示すように、巻回方向に切欠が設けられておらず、鉄筋コンクリート柱１の頂部から足元へ向けて挿入した後、鉄筋コンクリート柱１に巻き付けられる。分割コイル２１２は、図３（Ｂ）に示すように、巻回方向が切欠部２１３が設けられている。そして、切欠部２１３の両側にはコネクタＣ１、Ｃ２が設けられている。分割コイル２１２は、切欠部２１３から鉄筋コンクリート柱１を挿入した後にコネクタＣ１、Ｃ２同士を接続させて鉄筋コンクリート柱１に巻き付けられる。また、コイル２１と後述する信号合成・分離部２３との間には図示しないコネクタが設けられていて、必要に応じて信号合成・分離部２３に一括コイル２１１が接続されたり、分割コイル２１２が接続されたりする。
【００２７】
上記発振器２２は、例えば１００Ｈｚ又は１２０Ｈｚで発振してコイル２１に供給する交流電流を発生する。信号合成・分離部２３は、発振部２２からの交流電流をコイル２１に供給すると共にコイル２１の端子電圧及びコイル通電電流を信号増幅部２４に対して出力する。信号増幅部２４は、信号合成・分離部２３から出力されたコイル２１の端子電圧及びコイル通過電流を増幅してマイコン２６に対して出力する。入力部２５は、測定者によって後述するインダクタンスの測定位置及び鉄筋コンクリート柱１の種類が入力される。マイコン２６は、信号増幅部２４から供給されたコイル２１の端子電圧及びコイル通過電流からコイル２１が巻き付けられている鉄筋コンクリート柱１のインダクタンスを求める。そして、マイコン２６は、後述するメモリ２７に格納されたデータテーブルを参照してＴＷ１２１の種類を選別して、表示部２８に出力する。
【００２８】
上記メモリ２７には、図４に示すように、鉄筋コンクリート柱１の種類、インダクタンスの測定位置、ＴＷ１２１の種類、及び、インダクタンスが対応付けられたデータテーブルが格納されている。ところで、鉄筋コンクリート柱１においてＴＷ１２１のみで構成されている箇所は、インダクタンスがＮＴＷ１２２の影響を受けることがない。また、鉄筋コンクリート柱１において足元付近は、鉄筋１２の間隔及びかぶり量が安定しているためインダクタンスが間隔やかぶり量の影響を受けにくい。よって、インダクタンスの測定位置としては、ＴＷ１２１のみで構成されている箇所と、間隔及びかぶり量が安定している足元付近と、が望ましい。そこで、図４に示す実施形態では、ＴＷ１２１のみで構成されている頂部Ｐ１及び上部Ｐ２、鉄筋１２の間隔及びかぶり量が安定している番札１３の下である番札下部Ｐ３及び複数の足場ボルト１４のうち一番下に設けられた第１足場ボルト付近Ｐ４を測定位置としたデータテーブルが記録されている。
【００２９】
上述した鋼材選別装置２の動作について図５を参照して以下説明する。マイコン２６は、電源オンすると動作を開始し、表示部２８を用いてコイル２１を鉄筋コンクリート柱１に巻き付けることを指示する（ステップＳ１）。測定者の操作によって入力部２５にコイル２１の巻き付けが完了したことが入力されると（ステップＳ２でＹ）、マイコン２６は表示部２８を用いてコイル２１を巻き付けた鉄筋コンクリート柱１の種類及び測定位置の入力を指示する（ステップＳ３）。入力部２５に鉄筋コンクリート柱１の種類及び測定位置が入力されると（ステップＳ４でＹ）、マイコン２６はインダクタンス測定処理を行う（ステップＳ５）。
【００３０】
インダクタンス測定処理においてマイコン２６は、発振部２２を制御してコイル２１に交流電流を流す。そして、マイコン２６は、信号増幅部２４から供給されるコイル２１の端子電圧及びコイル通過電流からインダクタンスを求める。その後、マイコン２６は、選別処理を行って（ステップＳ６）、処理を終了する。選別処理において、マイコン２６は、メモリ２７に格納されたデータテーブルからステップ５で求めたインダクタンスと、ステップ３で入力された鉄筋コンクリート柱１の種類及び測定位置と、に対応するＴＷ１２１の種類を鉄筋コンクリート柱１に用いられるＴＷ１２１の種類として表示部２８に表示する。データテーブルにステップ５で求めたインダクタンスと、ステップ３で入力された鉄筋コンクリート柱１の種類及び測定位置と、に対応するＴＷ１２１がなければ、選別不能の旨を表示部２８に表示する。
【００３１】
なお、測定位置の測定精度は、第１足場ボルト付近Ｐ４＜番札下部Ｐ３＜上部Ｐ２＜頂部Ｐ１の順で高くなる。また、測定位置の測定容易さは、頂部Ｐ１＜上部Ｐ２＜番札下部Ｐ３＜第１足場ボルト付近Ｐ４の順で簡単になる。そこで、測定者は、まずコイル２１を第１足場ボルト付近Ｐ４に巻き付けて選別不能であれば、番札下部Ｐ３、上部Ｐ２、頂部Ｐ１の順に測っていけば、効率のよい選別を行うことができる。なお、第１足場ボルト付近Ｐ４、番札下部Ｐ３、上部Ｐ２に分割コイル２１１を巻き付け、頂部Ｐ１には一括コイル２１２を巻き付ければより効率が良くなる。
【００３２】
上述した鋼材選別装置２によれば、ＴＷ１２１の種類によって透磁率が異なることを利用して、鉄筋コンクリート柱１に巻き付けられたコイル２１に電流を流してインダクタンスを測定して、測定したインダクタンスに基いてＴＷ１２１の種類を選別している。鉄筋コンクリート柱１にコイル２１を巻き付けて測定したインダクタンスは、鉄筋１２のかぶり量や鉄筋１２同士の間隔の影響を受け難いので、正確に鉄筋コンクリート柱１に使用されているＴＷ１２１の種類を選別することができる。また、インダクタンスは、コイル２１内に挿入されたＴＷ１２１、ＮＴＷ１２２の本数の影響を受ける。このＴＷ１２１、ＮＴＷ１２２の本数は測定位置や鉄筋コンクリート柱１の種類によって特定できる。よって、データテーブルを参照して測定されたインダクタンスと入力部２５により入力された測定位置とに対応するＴＷ１２１の種類を選別することにより、より一層正確に鉄筋コンクリート柱１に使用されているＴＷ１２１の種類を選別することができる。
【００３３】
また、上述した鋼材選別装置２によれば、鉄筋コンクリート柱１のＴＷ１２１の構成は鉄筋コンクリート柱１の種類によって異なることに着目し、データテーブルに鉄筋コンクリート柱１の種類も対応付けることにより、複数種類の鉄筋コンクリート柱１の鋼材を選別することができる。
【００３４】
なお、上述した鋼材選別装置２によれば、データテーブルに鉄筋コンクリート柱１の種類も対応付けていたが、本発明はこれに限ったものではない。例えば、１種類の鉄筋コンクリート柱１のＴＷ１２１の種類しか選別する必要がない鉄筋コンクリート柱１の種類を対応付けなくても良い。
【００３５】
また、上述した鋼材選別装置２によれば、入力部２５の測定者の操作により測定位置を入力していたが、本発明はこれに限ったものではない。例えば、鋼材選別装置２により、表示部２８を用いて例えば第１足場ボルト付近Ｐ４にコイル２１を巻き付けることを指示して、指示した第１足場ボルト付近Ｐ４を自動的に測定位置として入力することも考えられる。
【００３６】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００３７】
【図１】鉄筋コンクリート柱の構造を説明するための説明図である。
【図２】本発明の鉄筋コンクリート柱の鋼材選別方法を用いた鉄筋コンクリート柱の鋼材選別装置の一実施形態を示すブロック図である。
【図３】（Ａ）は図２に示すコイルとしての一括コイルを示す斜視図であり、（Ｂ）は図２に示すコイルとしての分割コイルを示す斜視図である。
【図４】図２に示すメモリに格納されるデータテーブルを示す図である。
【図５】図２に示すマイコンの処理手順を示すフローチャートである。
【符号の説明】
【００３８】
１      鉄筋コンクリート柱
２      鋼材選別装置
１１    コンクリート
２１    コイル
２５    入力部（位置入力手段、種類入力手段）
２６    マイコン（インダクタンス測定手段、選別手段）
２７    メモリ（記録手段）
１２１  緊張鋼材（ＴＷ）
１２２  非緊張鋼材（ＮＴＷ）
【図１】
2010091303.tif 000003
【図２】
2010091303.tif 000004
【図３】
2010091303.tif 000005
【図４】
2010091303.tif 000006
【図５】
2010091303.tif 000007